(57)【要約】【課題】水切部材裏に入り込んだ水を排出する排水孔部を設けながらも、その排水孔部からの水の逆流による建物内部への水の浸入を防止することができる水切部材の排水構造を提供する。【解決手段】建物に設けられたバルコニー２０の周囲には外壁部１７が設けられている。外壁部１７には、外壁面材２８と、その裏面下部からバルコニー２０の床面に亘って延びる壁下防水層４４とが設けられている。外壁面材２８の下方には、水切板部４０ａを有する水切部材４０が、水切板部４０ａを壁下防水層４４と離間対向させて設けられ、水切板部４０ａと壁下防水層４４との間は水切裏空間４８となっている。水切部材４０の有する水切本体４１は、縦板部４１ｄ，４１ｅから裏面側に壁下防水層４４まで延びて水切裏空間４８を上下に仕切る横板部４１ｃ，４１ｂを有し、これら各横板部４１ｂ，４１ｃにはそれぞれ厚み方向に貫通する複数の排水孔部５１，５２が形成されている。【選択図】      図２
2014047566.tif 000002
【特許請求の範囲】
【請求項１】
屋外に開放された屋外開放空間を囲んで設けられた壁部を備え、
前記壁部は、前記屋外開放空間に面して設けられた壁面材と、
前記壁面材の裏面下部から前記屋外開放空間の床面に亘って上下に延びるよう形成された壁下防水層と、を備える建物に適用され、
前記壁面材の下方には、上下方向に延びる水切板部を有する水切部材が、前記水切板部を前記壁下防水層と離間対向させた状態で設けられており、
前記水切板部と前記壁下防水層との間は水切裏空間となっており、
前記水切部材は、前記水切板部から裏面側に向けて前記壁下防水層まで延びかつ当該水切部材の長手方向に沿った長尺状とされた上下一対の横板部を有しており、
前記各横板部と前記水切板部と前記壁下防水層とに囲まれた内側には囲み空間部が形成されており、
前記各横板部にはそれぞれ厚み方向に貫通して前記囲み空間部に通じる複数の排水孔部が形成されていることを特徴とする水切部材の排水構造。
【請求項２】
前記各横板部のうち上側の横板部の前記排水孔部が第１排水孔部であり、下側の横板部の前記排水孔部が第２排水孔部であり、
前記第１排水孔部と前記第２排水孔部とは上下方向に互いに重複しないように配置されていることを特徴とする請求項１に記載の水切部材の排水構造。
【請求項３】
前記第１排水孔部と前記第２排水孔部とは前記水切部材の長手方向に位置ずれさせて配置されており、その位置ずれによって上下方向に互いに重複しないものとされていることを特徴とする請求項２に記載の水切部材の排水構造。
【請求項４】
前記水切部材は、前記各横板部を前記水切板部とは反対側の端部において上下に連結する連結板部を有しており、
前記連結板部は、前記壁下防水層に対して当接した状態で配置されていることを特徴とする請求項１乃至３のいずれか一項に記載の水切部材の排水構造。
【請求項５】
前記連結板部は、前記水切部材の長手方向に沿って長尺状に形成され、前記各横板部と前記水切板部とともに四方を囲んで前記囲み空間部を形成していることを特徴とする請求項４に記載の水切部材の排水構造。
【請求項６】
前記水切部材は、前記水切板部において前記囲み空間部を覆っている部分が同囲み空間部を開放及び閉鎖することが可能なカバー部となっていることを特徴とする請求項５に記載の水切部材の排水構造。
【請求項７】
前記連結板部は、前記壁下防水層に対して締結具により固定されており、
前記締結具は、前記カバー部によって覆い隠されていることを特徴とする請求項６に記載の水切部材の排水構造。
【請求項８】
前記各横板部のうち上側の横板部の前記排水孔部が第１排水孔部であり、下側の横板部の前記排水孔部が第２排水孔部であり、
前記第２排水孔部の数は前記第１排水孔部の数よりも少なくされていることを特徴とする請求項１乃至７のいずれか一項に記載の水切部材の排水構造。
【発明の詳細な説明】
【技術分野】
【０００１】
本発明は、水切部材の排水構造に関する。
【背景技術】
【０００２】
住宅等の建物では、バルコニーが設けられている場合がある（例えば特許文献１参照）。バルコニーでは、その周囲に壁部が立設され、その壁部により囲まれた内側がバルコニー空間となっている。具体的には、壁部には、バルコニー空間をそれと隣接する居室空間との間で仕切る外壁部と、バルコニー空間を屋外空間との間で仕切るバルコニー腰壁部とがある。
【０００３】
バルコニーの壁部では、床部に敷設された防水板の一部が壁部側の端縁で立ち上げられて立ち上がり部となっていることがある。この場合、この立ち上がり部が壁部において防水層として機能する。そして、立ち上がり部の上方には、外壁面材がバルコニー空間に面して設置され、立ち上がり部の上端と外壁面材の下端との間にはそれら両者間からの水の浸入を防止すべく止水処理が施されるのが一般である。
【０００４】
かかる止水処理としては、例えば立ち上がり部の上端と外壁面材の下端との間に不定形シール材を充填しシールするシール処理が挙げられる。しかしながら、不定形シール材は経年劣化によるシール切れが懸念され、長期に亘って止水機能を発揮することが困難である。そこで例えば図８に示すような不定形シール材を用いない止水構造が考えられる。なお、図８は外壁部の下端部周辺を示している。
【０００５】
図８では、外壁面材７１の裏面側と防水板７２の立ち上がり部７２ａの表面側とに跨がって止水シート７３が設けられている。止水シート７３は、その上端部が外壁面材７１とその裏側に設けられたフレーム材７４との間に挟み込まれており、その下端部が立ち上がり部７２ａの表面に両面テープ等で接着されている。この場合、止水シート７３によって外壁面材７１と立ち上がり部７２ａとの間が塞がれるため、それら両者７１，７２ａの間を通じた建物内部への水の浸入を防止することができる。
【０００６】
ところで、止水シート７３を用いた上記の止水構造では、止水シート７３の露出によって外壁部周辺の意匠性が損なわれるおそれがある。そこでこれを回避するために、例えば図８に示すように、水切部材（化粧水切）７６を外壁面材７１の下方に設置してその水切部材７６により止水シート７３を覆い隠すことが考えられる。図８では、水切部材７６が上下方向の中間部において裏側に向けて凹ませられコ字状をなしており、そのコ字状部分（凹状部）の底板部７６ａがフレーム材７４にビス７７で固定されている。
【先行技術文献】
【特許文献】
【０００７】
【特許文献１】特開２０１２−０２１３０９号公報
【発明の概要】
【発明が解決しようとする課題】
【０００８】
しかしながら、上述の構成では、外壁面材７１の表面に沿って流下した水が外壁面材７１の下端と水切部材７６の上端との間を通じて水切部材７６の裏側に水が入り込んだ場合に、その水が水切部材７６裏に溜まってしまうおそれがある。その場合、その溜まった水が腐食して異臭の原因になったり、溜まった水が壁内へ流れ込み建物内への漏水の原因になったりする場合がある。そこで、その対策として、水切部材７６の凹状部分の上板部７６ｂに排水孔部７８を設け、水切部材７６裏に溜まった水をその排水孔部７８を通じてバルコニー空間ＢＳに排出することが考えられる（図８の点線矢印を参照）。
【０００９】
しかしながら、バルコニーでは、台風等の強風時にはバルコニー空間ＢＳの床面に沿って吹く風が壁際で強く吹き上げることが考えられる。このため、強風を伴う降雨があった場合には、風の吹き上げに伴って下向き開口された排水孔部７８から雨水が逆流してくるおそれがある（図８の実線矢印を参照）。その場合、勢い付いた雨水が風に煽られて外壁面材７１と止水シート７３との間を通じて外壁面材７１の裏側に入り込み、建物内部への水の浸入を招いてしまうおそれがある。
【００１０】
本発明は、上記事情に鑑みてなされたものであり、水切部材裏に入り込んだ水を排出する排水孔部を設けながらも、その排水孔部からの水の逆流による建物内部への水の浸入を防止することができる水切部材の排水構造を提供することを主たる目的とするものである。
【課題を解決するための手段】
【００１１】
上記課題を解決すべく、第１の発明の水切部材の排水構造は、屋外に開放された屋外開放空間を囲んで設けられた壁部を備え、前記壁部は、前記屋外開放空間に面して設けられた壁面材と、前記壁面材の裏面下部から前記屋外開放空間の床面に亘って上下に延びるよう形成された壁下防水層と、を備える建物に適用され、前記壁面材の下方には、上下方向に延びる水切板部を有する水切部材が、前記水切板部を前記壁下防水層と離間対向させた状態で設けられており、前記水切板部と前記壁下防水層との間は水切裏空間となっており、前記水切部材は、前記水切板部から裏面側に向けて前記壁下防水層まで延びかつ当該水切部材の長手方向に沿った長尺状とされた上下一対の横板部を有しており、前記各横板部と前記水切板部と前記壁下防水層とに囲まれた内側には囲み空間部が形成されており、前記各横板部にはそれぞれ厚み方向に貫通して前記囲み空間部に通じる複数の排水孔部が形成されていることを特徴とする。
【００１２】
本発明によれば、壁面材に沿って流下した水が水切部材の裏側すなわち水切板部と壁下防水層との間（水切裏空間）に入り込んだ場合に、その入り込んだ水が横板部に設けられた排水孔部を通じて下方に流れ水切裏空間から排出される。これにより、水切部材裏に水が溜まるのを回避することができるため、溜まった水の腐食により異臭が発生したり溜まった水が原因で建物内部への水の浸入を招いたりする不都合を回避することができる。
【００１３】
また、水切板部の裏側では当該水切板部と各横板部と壁下防水層とに囲まれた囲み空間部が形成されており、各排水孔部がそれぞれその囲み空間部に通じているため、強風が吹き上げて雨水等の水が排水孔部から逆流しようとする際には、その風が囲み空間部に一旦入り込むこととなる。この場合、この囲み空間部において入り込んだ風の勢いを低減させることができるため、排水孔部を設けた構成において排水孔部からの水の逆流による建物内部への水の浸入を防止することができる。
【００１４】
第２の発明の水切部材の排水構造は、第１の発明において、前記各横板部のうち上側の横板部の前記排水孔部が第１排水孔部であり、下側の横板部の前記排水孔部が第２排水孔部であり、前記第１排水孔部と前記第２排水孔部とは上下方向に互いに重複しないように配置されていることを特徴とする。
【００１５】
本発明によれば、第１排水孔部と第２排水孔部とが上下方向に互いに重複しないように配置されているため、排水孔部を通じて水が逆流しようとする際、その水が第１排水孔部と第２排水孔部とを上下に勢いよく（一気に）通過してしまうのを抑制することができる。これにより、水の逆流を抑制する効果を高めることができる。
【００１６】
第３の発明の水切部材の排水構造は、第２の発明において、前記第１排水孔部と前記第２排水孔部とは前記水切部材の長手方向に位置ずれさせて配置されており、その位置ずれによって上下方向に互いに重複しないものとされていることを特徴とする。
【００１７】
本発明によれば、第１排水孔部と第２排水孔部とが水切部材の長手方向に位置ずれさせて配置されている。この場合、第１排水孔部と第２排水孔部とを水切部材の短手方向（換言すると壁部の厚み方向）に位置ずれさせて配置する場合と比べ、各排水孔部の位置を大きくずらすことができるため、水の逆流をより一層抑制することが可能となる。
【００１８】
第４の発明の水切部材の排水構造は、第１乃至第３のいずれかの発明において、前記水切部材は、前記各横板部を前記水切板部とは反対側の端部において上下に連結する連結板部を有しており、前記連結板部は、前記壁下防水層に対して当接した状態で配置されていることを特徴とする。
【００１９】
ところで、壁部の壁際において強風が吹き上げる場合等には、その風によって横板部が上側に撓み、横板部と壁下防水層との間に隙間が発生するおそれがある。その場合、その隙間を通じて風が吹き上げたり水が逆流したりすることが想定され、その結果建物内への水の浸入を招いてしまうおそれがある。そこで本発明ではこの点に鑑みて、水切部材に各横板部を上下に連結する連結板部を設け、その連結板部を壁下防水層に沿って当接させて配置している。この場合、横板部が強風を受けて上側に撓もうとすると、横板部に連結された連結板部が壁下防水層に当たって横板部の撓みが規制されるため、横板部と壁下防水層との間に隙間が発生するのを大いに抑制することができる。これにより、強風が吹き上げる場合等においても、建物内部への水の浸入をより確実に防止することが可能となる。
【００２０】
また、壁下防水層に当接させた連結板部を当該壁下防水層に締結具等を用いて固定するようにすれば、横板部の撓み自体を生じさせないようにすることができるため、横板部と壁下防水層との間に隙間が発生するのを防止することができる。そのため、建物内部への水の浸入をより一層確実に防止することが可能となる。
【００２１】
第５の発明の水切部材の排水構造は、第４の発明において、前記連結板部は、前記水切部材の長手方向に沿って長尺状に形成され、前記各横板部と前記水切板部とともに四方を囲んで前記囲み空間部を形成していることを特徴とする。
【００２２】
ところで、上述したように強風の吹き上げ等によって横板部が撓んで横板部と壁下防水層との間に隙間が発生すると、囲み空間部に入り込んだ水が排出孔部だけでなくその隙間からも流れ出すこととなり、囲み空間部による風の勢いを低減させる効果が弱まるおそれがある。この点本発明では、水切部材の各横板部と水切板部と連結板部とに囲まれて囲み空間部が形成され、換言すると水切部材自体に囲み空間部が形成されているため、囲み空間部に入り込んだ風が隙間から流出するといった上述の問題が生じることがなく、囲み空間部において風の勢いを低減させる効果を確実に発揮させることができる。よって、この場合建物内部への水の浸入を確実に防止することができる。
【００２３】
第６の発明の水切部材の排水構造は、第５の発明において、前記水切部材は、前記水切板部において前記囲み空間部を覆っている部分が同囲み空間部を開放及び閉鎖することが可能なカバー部となっていることを特徴とする。
【００２４】
本発明によれば、水切部材の水切板部において囲み空間部を覆っている部分が同空間部を開放及び閉鎖可能なカバー部とされている。ここで、カバー部により囲み空間部を開放及び閉鎖するための構成としては、例えばカバー部を着脱可能とする構成や、カバー部を囲み空間部を開放する開状態と、囲み空間部を閉鎖する閉状態とに開閉動作可能とする構成等が考えられる。この場合、カバー部を取り外したりカバー部を開状態としたりすることで、囲み空間部を屋内開放空間側に開放させることができるため、囲み空間部に異物や汚れが溜まった場合には同空間部を容易に清掃することができる。また、排水孔部を通じて水を排出する上述の構成では、排水孔部に異物が詰まって水を排出することができなくなる事態が想定されうる。この点、囲み空間部を開放可能としたことで、囲み空間部に通じる排水孔部の清掃も容易に行うことができるため、排水機能を長期に亘って維持する上で好都合である。
【００２５】
第７の発明の水切部材の排水構造は、第６の発明において、前記連結板部は、前記壁下防水層に対して締結具により固定されており、前記締結具は、前記カバー部によって覆い隠されていることを特徴とする。
【００２６】
本発明によれば、水切部材の連結板部が壁下防水層に締結具によって固定され、その締結具がカバー部によって覆い隠されているため、締結具の露出によって意匠性が損なわれるのを回避することができる。
【００２７】
第８の発明の水切部材の排水構造は、第１乃至第７のいずれかの発明において、前記各横板部のうち上側の横板部の前記排水孔部が第１排水孔部であり、下側の横板部の前記排水孔部が第２排水孔部であり、前記第２排水孔部の数は前記第１排水孔部の数よりも少なくされていることを特徴とする。
【００２８】
本発明によれば、第１排水孔部及び第２排水孔部のうち水が逆流する際に上流側となる第２排水孔部の数を第１排水孔部の数よりも少なくしている。これにより、水の逆流を効果的に抑制することが可能となる。
【図面の簡単な説明】
【００２９】
【図１】建物の概略を示す縦断面図。
【図２】外壁部の下部周辺の構成を示す縦断面図。
【図３】水切部材を示す縦断面図。
【図４】（ａ）が上側横板部に設けられた排水孔部の並びを示す横断面図であり、（ｂ）が下側横板部に設けられた排水孔部の並びを示す横断面図である。
【図５】排水孔部の並びの別例を示す図。
【図６】水切部材の別例を示す図。
【図７】外壁部の下部周辺の構成を示す縦断面図。
【図８】外壁部における止水構造を示す縦断面図。
【発明を実施するための形態】
【００３０】
以下に、本発明を具体化した一実施の形態について図面を参照しつつ説明する。なお、図１は建物の概略を示す縦断面図である。
【００３１】
図１に示すように、建物１０は、建物本体１１と、その建物本体１１の上方に形成された屋根１２とを備えている。建物本体１１は、一階部分１３と二階部分１４とを有してなる二階建て建物である。建物１０の一階部分１３には第一居室１５等が設けられ、二階部分１４には第二居室１６等が設けられている。
【００３２】
建物１０の二階部分１４には、バルコニー２０が設けられている。バルコニー２０は、第一居室１５の上方に設けられており、いわゆるルーフバルコニーとなっている。バルコニー２０は、第二居室１６と隣接して設けられており、バルコニー２０と第二居室１６とは外壁部１７によって仕切られている。図示は省略するが、外壁部１７の一部には窓部（例えば掃き出し窓）が設けられ、その窓部を通じて第二居室１６とバルコニー２０との間の行き来が可能となっている。
【００３３】
バルコニー２０は、バルコニー床部２１と、バルコニー床部２１の周縁に沿って立設されるバルコニー腰壁部２２とを備える。バルコニー床部２１とバルコニー腰壁部２２と外壁部１７とにより囲まれる空間はバルコニー空間ＢＳとなっている。この場合、バルコニー空間ＢＳが屋外開放空間に相当し、バルコニー腰壁部２２と外壁部１７とが屋外開放空間を囲んで設けられた壁部に相当する。
【００３４】
次に、外壁部１７の下部周辺の構成について図２に基づいて説明する。図２は、外壁部１７の下部周辺の構成を示す縦断面図である。
【００３５】
図２に示すように、バルコニー床部２１は、図示しない床梁により下方から支持された床下地材２３と、床下地材２３上に敷設された床断熱材２４とを備える。床下地材２３はＡＬＣ床からなり、床断熱材２４は発砲ポリスチレン樹脂からなる。床断熱材２４上には、バルコニー床部２１の床面を形成する防水板２５が敷設されている。防水板２５は、耐水皮膜（例えば塩化ビニル膜）が施された鋼板よりなり、その一部が外壁部１７側の端部において上方に立ち上げられ立ち上がり部２５ａとなっている。
【００３６】
外壁部１７は、壁フレーム２７と、壁フレーム２７を挟んで両側に設けられた一対の壁面材２８，２９とを備える。壁フレーム２７は、溝形鋼からなる複数のフレーム材が矩形枠状に連結されることにより構成されている。壁フレーム２７は、各壁面材２８，２９よりも下方に延びてその下端部が図示しない床梁に固定され、その上端部が図示しない天井梁に固定されている。
【００３７】
壁フレーム２７において互いに離間する縦フレーム材２７ａの間には長尺状のブラケット３５が架け渡されている。ブラケット３５は、断面コ字状をなす鋼板よりなり、そのウェブ部３５ａをバルコニー空間ＢＳ側に向けて（換言するとその溝部を第二居室１６側に向けて）配設されている。より詳しくは、ブラケット３５は、そのウェブ部３５ａを外壁部１７の壁厚み方向において縦フレーム材２７ａのバルコニー空間ＢＳ側の端部に位置合わせした状態で配置されている。
【００３８】
外壁面材２８は窯業系サイディングよりなり、バルコニー空間ＢＳに面して設けられている。外壁面材２８は、その下端側においてブラケット３５のウェブ部３５ａの外側面（バルコニー空間ＢＳ側の面）にビス３６で固定されている。この場合、ウェブ部３５ａの上側部分に外壁面材２８の下端側が固定され、下側部分に防水板２５の立ち上がり部２５ａが重ね合わせられている。
【００３９】
内壁面材２９は石膏ボードよりなり、第二居室１６に面して設けられている。内壁面材２９は壁フレーム２７にビスにより固定されている。また、内壁面材２９の下縁部には巾木３４が取り付けられている。
【００４０】
第二居室１６の床部は、図示しない床梁により下方から支持された２枚の床下地材３１，３２と、床下地材３２上に敷設された床仕上げ材３３とを備える。床下地材３１はＡＬＣ床からなり、床下地材３２はパーティクルボードからなり、床仕上げ材３３はフローリング材からなる。
【００４１】
続いて、外壁面材２８の下端と防水板２５の立ち上がり部２５ａ上端との間を通じた水の浸入を防止するための止水構造について説明する。
【００４２】
外壁面材２８の下端部裏面とブラケット３５のウェブ部３５ａとの間には止水シート３７の上端部が介在されている。止水シート３７は、塩化ビニル等の耐水性を有する材料により形成されており、外壁面材２８の下端部に沿う長尺状をなしている。止水シート３７の上端部には、その片面に同シート３７に沿って延びる長尺薄板状のシール材３８が重ね合わせられている。シール材３８は、ＥＰＤＭ等のゴム材からなる。止水シート３７の上端部はこのシール材３８とともに外壁面材２８とブラケット３５のウェブ部３５ａとの間に挟み込まれており、その挟み込み状態において外壁面材２８がウェブ部３５ａに対してビス３６により固定されている。これにより、止水シート３７の上端部が外壁面材２８の裏面に取り付けられている。なお、詳細には、ビス３６は止水シート３７とシール材３８との双方を貫通している。
【００４３】
止水シート３７は、外壁面材２８の下端よりも下方に垂れ下がるようにして設けられている。止水シート３７における上記垂れ下がり部分は防水板２５の立ち上がり部２５ａの外側面に重ね合わせられており、その下端部において同外側面に両面テープ（ブチルテープ等）で接着固定されている。これにより、外壁面材２８の下端と防水板２５の立ち上がり部２５ａとの間が止水シート３７によって塞がれて、それら両者２５ａ，２８の間を通じて雨水等の水が外壁部１７の内部に入り込むことが防止され、ひいては外壁部１７の内部を通じて第一居室１５又は第二居室１６へ流れ込むことが防止されている。
【００４４】
なお、この場合、外壁部１７には、防水板２５の立ち上がり部２５ａ、止水シート３７及びシール材３８等によって壁下防水層４４が形成されている。この壁下防水層４４は外壁面材２８の裏面下部からバルコニー空間ＢＳの床面（防水板２５の上面）に亘って上下方向に連続して形成されており、外壁面材２８の下方では外壁部１７の表面（バルコニー空間ＢＳ側の面）を形成している。
【００４５】
外壁面材２８の下方には水切部材４０が設けられている。以下、水切部材４０の構成について図２に加え図３を用いながら説明する。なお、図３は水切部材４０を示す縦断面図である。
【００４６】
図２及び図３に示すように、水切部材４０は、水切本体４１と、水切本体４１に着脱可能に取り付けられたカバー部材４２とを備えて構成されている。水切部材４０は、止水シート３７をバルコニー空間ＢＳ側から覆うようにして設けられている。これにより、止水シート３７の露出によって外壁部１７の美観が損なわれることが防止されている。
【００４７】
水切本体４１は、アルミニウム製の押し出し成型品よりなり、外壁部１７の横幅方向に沿って延びる長尺状をなしている。水切本体４１は、長手方向全域に亘って同一の横断面形状を有して形成されている。水切本体４１は、ブラケット３５のウェブ部３５ａに対してビス４３により固定された固定板部４１ａと、固定板部４１ａの上下方向の両端部からそれぞれバルコニー空間ＢＳ側に延びる一対の横板部４１ｂ，４１ｃと、それら各横板部４１ｂ，４１ｃのバルコニー空間ＢＳ側の端部から互いに反対側に向けて上下方向に延びる一対の縦板部４１ｄ，４１ｅとを有する。より詳しくは、上側縦板部４１ｄの上端部からは斜め上向きに斜め板部４１ｆが延びており、その斜め板部４１ｆの上端が水切本体４１の上端となっている。なおここで、固定板部４１ａが連結板部に相当する。
【００４８】
固定板部４１ａは、止水シート３７と防水板２５の立ち上がり部２５ａとが重ね合わせられた重ね合わせ部分５３に合わせて配置されており、固定板部４１ａとブラケット３５のウェブ部３５ａとの間にこの重ね合わせ部分５３が挟み込まれた状態となっている。固定板部４１ａは、この挟み込み状態において長手方向の複数箇所でビス４３によりウェブ部３５ａに固定されており、これにより止水シート３７と立ち上がり部２５ａとがそれぞれ固定されている。
【００４９】
詳細には、止水シート３７と立ち上がり部２５ａとの重ね合わせ部分５３では、それら両者２５ａ，３７の間にＥＰＤＭ等のゴム材からなる長尺薄板状のシール材３９が介在されている。そして、ビス４３は、これら３者２５ａ，３７，３９を貫通した状態でウェブ部３５ａに打ち付けられている。
【００５０】
水切本体４１では、固定板部４１ａと各横板部４１ｂ、４１ｃとがコ字状をなしており、それら各板部４１ａ〜４１ｃにより囲まれた内側に溝部が形成されている。この溝部は、上側縦板部４１ｄと下側縦板部４１ｅとの間を通じてバルコニー空間ＢＳに開放されており、これら各縦板部４１ｄ，４１ｅの間が溝部の開口部４５となっている。この開口部４５を挟んで上下に並ぶ各縦板部４１ｄ，４１ｅは互いの表面（バルコニー空間ＢＳ側の面）が同一平面上に位置するように配置されている。
【００５１】
開口部４５には、当該開口部４５を塞ぐようにしてカバー部材４２が設けられている。カバー部材４２は、水切本体４１と同様、アルミニウム製の押し出し成形品よりなり、水切本体４１の長手方向に沿って延びる長尺平板状をなしている。より詳しくは、カバー部材４２は、その長さ（長手方向の長さ）が水切本体４１の長さと同じとされている。このカバー部材４２によりビス４３が覆い隠され、ビス４３の露出により水切部材４０周辺の美観が損なわれることが防止されている。
【００５２】
カバー部材４２は、その表面（バルコニー空間ＢＳ側の面）が水切本体４１の各縦板部４１ｄ，４１ｅの表面と同一平面上に位置するように取り付けられている。この場合、各縦板部４１ｄ，４１ｅとカバー部材４２とによって水切部材４０の水切板部４０ａが構成されている。この水切板部４０ａは壁下防水層４４と離間対向して配置されており、水切板部４０ａと壁下防水層４４との間は水切裏空間４８となっている。この水切裏空間４８は、水切本体４１の各横板部４１ｂ，４１ｃによって上下方向に複数（具体的には３つ）の空間に仕切られている。
【００５３】
また、カバー部材４２の取付状態では、各横板部４１ｂ，４１ｃと固定板部４１ａとカバー部材４２とにより四方が囲まれた囲み空間部４９が形成されている。この囲み空間部４９は、水切部材４０の長手方向の両端部においてバルコニー空間ＢＳ（外部）に開放されている。
【００５４】
カバー部材４２は、水切本体４１の開口部４５に着脱可能に取り付けられている。具体的には、水切本体４１の各横板部４１ｂ，４１ｃには開口部４５の周縁部から突出するように係合部４６が設けられ、カバー部材４２にはその裏面側に突出し係合部４６に係合可能な被係合部４７が設けられている。そして、カバー部材４２の被係合部４７が水切本体４１の係合部４６に係合されることで、カバー部材４２が開口部４５に対して着脱可能に取り付けられている。
【００５５】
なお、カバー部材４２を開口部４５に着脱可能に取り付けるための構成は必ずしもかかる構成に限定されない。例えば、カバー部材４２の裏面にマグネットを取り付けるとともに、水切本体４１側にはマグネットが吸着される金属製のマグネット受けを取り付け、カバー部材４２のマグネットを水切本体４１側のマグネット受けに吸着させることでカバー部材４２を開口部４５に着脱可能に取り付けてもよい。
【００５６】
水切本体４１の各横板部４１ｂ，４１ｃにはそれぞれ、水切裏空間４８に入り込んだ水を排出するための排水孔部５１，５２を形成されている。以下、これら排水孔部５１，５２について図４を用いながら説明する。図４において（ａ）は上側横板部４１ｂに設けられた排水孔部５１の並びを示す横断面図であり、（ｂ）は下側横板部４１ｃに設けられた排水孔部５２の並びを示す横断面図である。なお、図４（ａ）が図３のＡ−Ａ線断面図に相当し、図４（ｂ）が図３のＢ−Ｂ線断面図に相当する。
【００５７】
図４（ａ）に示すように、水切本体４１の上側横板部４１ｂには、当該板部４１ｂを板厚方向に貫通する複数の第１排水孔部５１が設けられている。これらの排水孔部５１を通じて上側横板部４１ｂにより仕切られた両側空間が連通されている。各第１排水孔部５１はそれぞれ丸孔形状をなしており、本実施形態では直径（孔径）が約５ｍｍの丸孔とされている。各第１排水孔部５１は、上側横板部４１ｂ（換言すると水切部材４０）の長手方向に沿って所定の間隔で一列に配置され、詳しくは等間隔で配置されている。図４（ａ）では、第１排水孔部５１のピッチ（間隔）をＰ１で示している。
【００５８】
一方、図４（ｂ）に示すように、水切本体４１の下側横板部４１ｃには、当該板部４１ｃを板厚方向に貫通する複数の第２排水孔部５２が設けられている。これらの第２排水孔部５２を通じて下側横板部４１ｃにより仕切られた両側空間が連通されている。第２排水孔部５２も、第１排水孔部５１と同様に丸孔形状をなしており、その孔径も第１排水孔部５１の孔径と同じとされている。
【００５９】
なお、各排水孔部５１，５２の形状は必ずしも丸孔形状とする必要はなく、長孔形状や四角形状等その他の形状としてもよい。また、第１排水孔部５１と第２排水孔部５２とで孔の形状を異ならせたり、孔の大きさを異ならせたりしてもよい。
【００６０】
各第２排水孔部５２は、下側横板部４１ｃ（換言すると水切部材４０）の長手方向に沿って所定の間隔で一列に配置されており、詳しくは等間隔で配置されている。図４（ｂ）では、第２排水孔部５２のピッチ（間隔）をＰ２で示している。本実施形態では、第２排水孔部５２のピッチＰ２が第１排水孔部５１のピッチＰ１と同じとされている（Ｐ１＝Ｐ２）。なお、これら各排水孔部５１、５２のピッチＰ１，Ｐ２は３０〜８０ｍｍとすることが好ましい。
【００６１】
第１排水孔部５１と第２排水孔部５２とは、横板部４１ｂ，４１ｃの幅方向において同じ位置に配置されている。その一方で、第１排水孔部５１と第２排水孔部５２とは横板部４１ｂ，４１ｃ（水切部材４０）の長手方向において位置をずらして配置されている。具体的には、水切部材４０の長手方向において（換言すると水切部材４０の平面視において）、各第２排水孔部５２はそれぞれ隣り合う第１排水孔部５１の略中央に配置されている。これにより、第１排水孔部５１と第２排水孔部５２とは上下方向に互いに重複しない位置関係で配置されている。
【００６２】
続いて、上述した水切部材４０の排水構造の作用について説明する。
【００６３】
図２に示すように、外壁面材２８の表面に沿って流下した水が外壁面材２８の下端と水切部材４０の上端との間を通じて水切板部４０ａの裏側（水切裏空間４８）に入り込んだ場合、その水は各横板部４１ｂ，４１ｃの排水孔部５１，５２を通じて下方に流れ、最終的にバルコニー空間ＢＳに排出される。これにより、水切部材４０裏に水が溜まるのを回避することができるため、溜まった水の腐食によって異臭が発生したり溜まった水が原因で第一居室１５や第二居室１６への水の浸入を招いたりする不都合を回避することができる。
【００６４】
その一方で、強風を伴う降雨があった場合等には、バルコニー空間ＢＳの床面に沿って吹く風が外壁部１７の壁際で吹き上げられ、その吹き上げられた風とともに雨水が排水孔部５１，５２を通じて逆流してくることが想定される。そうなると、その逆流した水が風に煽られて外壁面材２８の裏面と止水シート３７との間を通じて外壁部１７の内部へ入り込み、そこから第一居室１５や第二居室１６へと流れ込むことが懸念される。
【００６５】
この点本実施形態では、水切板部４０ａの裏側に囲み空間部４９が形成されており、各排水孔部５１，５２がそれぞれその囲み空間部４９に通じているため、強風が吹き上げて雨水等の水が排水孔部５１，５２を通じて逆流しようとする際には、その風が囲み空間部４９に一旦入り込むこととなる。この場合、この囲み空間部４９において入り込んだ風の勢いを低減させることができるため、排水孔部５１，５２を設けた構成にあって排水孔部５１，５２からの水の逆流による建物内部（第一居室１５や第二居室１６等）への水の浸入を防止することができる。
【００６６】
以上、詳述した本実施形態の構成によれば、以下の優れた効果が得られる。
【００６７】
第１排水孔部５１と第２排水孔部５２とを上下方向に互いに重複しないように配置したため、排水孔部５１，５２を通じて水が逆流しようとする際、その水が第１排水孔部５１と第２排水孔部５２とを上下に勢いよく（一気に）通過してしまうのを抑制することができる。これにより、水の逆流を抑制する効果を高めることができる。
【００６８】
具体的には、第１排水孔部５１と第２排水孔部５２とを水切部材４０の長手方向に位置ずれさせて配置することで、それら各排水孔部５１，５２を上下方向に互いに重複しないようにした。この場合、第１排水孔部５１と第２排水孔部５２とを水切部材４０の短手方向（換言すると外壁部１７の厚み方向）に位置ずれさせて配置する場合と比べ、各排水孔部５１，５２の位置を大きくずらすことができるため、水の逆流をより一層抑制することが可能となる。
【００６９】
水切本体４１に、各横板部４１ｂ，４１ｃを水切板部４０ａとは反対側の端部で上下に連結する固定板部４１ａを設け、その固定板部４１ａを壁下防水層４４の表面に固定した。これにより、強風の吹き上げが生じた場合でも各横板部４１ｂ，４１ｃが撓んでしまうことがないため、横板部４１ｂ，４１ｃ（さらには固定板部４１ａ）と壁下防水層４４との間に隙間が生じることを防止することができる。これにより、かかる隙間を通じて風が吹き上げたり水が逆流したりする不都合を防止することができ、建物内部への水の浸入をより確実に防止することが可能となる。
【００７０】
水切部材４０に、水切本体４１の固定板部４１ａと各横板部４１ｂ，４１ｃとカバー部材４２とにより囲まれた囲み空間部４９を形成した。これに対して、囲み空間部を各横板部４１ｂ，４１ｃとカバー部材４２と壁下防水層４４とで四方を囲んで形成することも考えられるが、この場合強風の吹き上げによって横板部４１ｂ，４１ｃが撓んで横板部４１ｂ，４１ｃと壁下防水層４４との間に隙間が発生すると、囲み空間部に入り込んだ風がその隙間から流れ出し同空間部による風の勢いを低減させる効果が弱まるおそれがある。この点、水切部材４０自体に囲み空間部４９を形成した上記の構成によれば、囲み空間部４９に入り込んだ風が隙間から流出するといった上記の問題が生じることがなく、囲み空間部４９において風の勢いを低減させる効果を確実に発揮させることができる。よって、この場合建物内部への水の浸入を確実に防止することができる。
【００７１】
水切部材４０に囲み空間部４９を覆うカバー部材４２を設け、そのカバー部材４２を水切本体４１に対して着脱可能に取り付けた。この場合、カバー部材４２を取り外すことにより囲み空間部４９をバルコニー空間ＢＳに向けて開放させることができるため、囲み空間部４９に異物や汚れが溜まった場合には同空間部４９を容易に清掃することができる。
【００７２】
また、カバー部材４２を取り外すことで囲み空間部４９に通じる各排水孔部５１，５２の清掃も行うことができる。これにより、排水孔部５１，５２に異物が詰まって水の排出ができなる等の不具合が生じた場合でも簡単に排水孔部５１，５２から異物を取り除くことができる。したがって、排水機能を長期に亘って維持する上で好都合な構成である。
【００７３】
囲み空間部４９を、水切部材４０の長手方向の端部において外部に開放させたため、囲み空間部４９に入り込んだ風をその開放部分を通じて囲み空間部４９の外に導くことができる。これにより、囲み空間部４９に入り込んだ風が第１排水孔部５１を通じて吹き上げられるのを抑制できるため、その吹き上げに伴う水の逆流についても抑制することができる。
【００７４】
本発明は上記実施形態に限らず、例えば次のように実施されてもよい。
【００７５】
（１）第１排水孔部５１と第２排水孔部５２との配置態様は必ずしも上記実施形態のものに限定されない。上記実施形態では、第１排水孔部５１と第２排水孔部５２とを水切部材４０の長手方向に位置ずれさせて配置したが、これに代えて、第１排水孔部５１と第２排水孔部５２とを水切部材４０の短手方向（外壁部１７の厚み方向）に位置ずれさせて配置してもよい。その場合にも、第１排水孔部５１と第２排水孔部５２とを上下方向に重複しないように配置できるため、水の逆流を抑制する効果を高めることができる。
【００７６】
また、図５（ａ）に示すように、第１排水孔部５１と第２排水孔部５２とを水切部材４０の長手方向及び短手方向の双方に位置ずれさせて配置してもよい。この場合、第１排水孔部５１と第２排水孔部５２とをより一層大きくずらして配置することができるため、水の逆流をさらに抑制することができる。なお、図５（ａ）では、上段に第１排水孔部５１の並びを示し、下段に第２排水孔部５２の並びを示している（図５（ｂ）及び（ｃ）も同様）。
【００７７】
なお、第１排水孔部５１と第２排水孔部５２とを上下方向に重複するように配置してもよい。
【００７８】
（２）上記実施形態では、第１排水孔部５１のピッチＰ１と第２排水孔部５２のピッチＰ２とを同じとしたが、これら各排水孔部５１，５２のピッチＰ１，Ｐ２を異ならせてもよい。例えば図５（ｂ）に示すように、第２排水孔部５２のピッチＰ２を第１排水孔部５１のピッチＰ１よりも大きくすることが考えられる（Ｐ２＞Ｐ１）。換言すると、第２排水孔部５２の個数を第１排水孔部５１の個数よりも少なくすることが考えられる。第２排水孔部５２は水が逆流する際には第１排水孔部５１に対して上流側に位置するため、第２排水孔部５２の数を少なくすることで水の逆流を効果的に抑制することが可能となる。
【００７９】
なお、第２排水孔部５２のピッチＰ２を第１排水孔部５１のピッチＰ１よりも大きくするにあたっては（Ｐ２＞Ｐ１）、第１排水孔部５１のピッチＰ１を３０〜８０ｍｍ、第２排水孔部５２のピッチＰ２を５０〜１５０ｍｍとすることが好ましい。
【００８０】
また、図５（ｃ）に示すように、第２排水孔部５２の個数を第１排水孔部５１の個数よりも少なくした（換言すると、第２排水孔部５２のピッチＰ２を第１排水孔部５１のピッチＰ１よりも大きくした）構成において、各（すべての）第２排水孔部５２をそれぞれ第１排水孔部５１の真下に配置するようにしてもよい。この場合、第２排水孔部５２の孔径（孔の大きさ）を第１排水孔部５１の孔径（孔の大きさ）よりも小さくすることが好ましい。そうすれば、各排水孔部５１，５２が上下に並ぶ構成にあって水の逆流を抑制することができ、外部からの粉塵の入り込みについても抑制することができる。
【００８１】
（３）上記実施形態では、第１排水孔部５１と第２排水孔部５２とをそれぞれ水切部材４０の長手方向に沿って一列に並べたが、各排水孔部５１，５２のうち少なくともいずれかを複数列（例えば二列）に並べてもよい。複数列に並べる場合、各列を千鳥状に配列するようにしてもよい。
【００８２】
（４）水切部材４０の構成は必ずしも上記実施形態のものに限定されない。例えば図６（ａ）に示すように、水切本体４１に、排水孔部５４を有する横板部４１ｇをさらにもう１つ設けてもよい。つまり、水切本体４１に３つの横板部４１ｂ，４１ｃ，４１ｇを設けてもよい。この場合、囲み空間部４９に加え、水切板部４０ａ（下側縦板部４１ｅ）と各横板部４１ｃ，４１ｇと壁下防水層４４とにより囲まれた囲み空間部５０が形成される。このため、２つの囲み空間部４９，５０でそれぞれ風の勢いを低減させることができ、水の逆流による建物内部への水の浸入を防止する効果を高めることができる。
【００８３】
なお、水切本体４１に４つ以上の横板部を設けてもよい。すなわち、水切部材４０裏に３つ以上の囲み空間部を形成してもよい。
【００８４】
また、水切部材４０がカバー部材４２を備えない構成としてもよい。図６（ｂ）に示す水切部材５５（換言すると水切本体）は、上下方向に延びる水切板部５５ａと、水切板部５５ａから裏面側に延びる２つの横板部５５ｂ，５５ｃと、各横板部５５ｂ，５５ｃを上下に連結するとともに上側横板部５５ｂよりも上方に延び上端部において壁下防水層４４にビス５６で固定された固定板部５５ｄとを有する。この場合、水切部材５５の内部には、水切板部５５ａと各横板部５５ｂ，５５ｃと固定板部５５ｄとにより囲まれた囲み空間部５７が形成され、各横板部５５ｂ，５５ｃにはそれぞれ囲み空間部５７に通じる第１排水孔部５８及び第２排水孔部５９が形成されている。この場合にも、囲み空間部５７が水切部材５５自体に形成されているため、囲み空間部５７に入り込んだ風が隙間から流れ出し同空間部５７による風の勢いを低減させる効果が弱まる不都合を防止することができる。
【００８５】
また、この場合、固定板部５５ｄの一部により各横板部５５ｂ，５５ｃが上下に連結され、当該一部が壁下防水層４４に沿って当接されている。したがって、強風が吹き上げて横板部５５ｂ，５５ｃが上側に撓もうとすると、横板部５５ｂ，５５ｃに連結された当該一部が壁下防水層４４に当たり横板部５５ｂ，５５ｃの撓みが規制される。このため、横板部５５ｂ，５５ｃと壁下防水層４４との間に隙間が発生するのを大いに抑制することができ、強風が吹き上げる場合等においても建物内部への水の浸入をより確実に防止することができる。
【００８６】
（５）上記実施形態では、カバー部材４２を水切本体４１に対して着脱可能とすることで開口部４５（囲み空間部４９）を開閉できるようにしたが、これを変更して、カバー部材４２を水切本体４１に対して開口部４５を開放する開状態と開口部４５を閉鎖する閉状態とに開閉動作可能に取り付けるようにしてもよい。例えば図６（ｃ）に示すように、カバー部材４２を水切本体４１に回動軸６１を介して回動可能に取り付け、その回動軸６１を中心とした回動によってカバー部材４２を開閉動作させることが考えられる。この場合においても、カバー部材４２を開動作させるだけで開口部４５を開放させることができるため、囲み空間部４９や排水孔部５１，５２の清掃を容易に行うことができる。
【００８７】
（６）例えば図７に示すように、外壁面材６６が上下に延びる中空部６６ａを有している場合には、その中空部６６ａを通じて流下する水が水切部材の裏側に入り込むおそれがある。そこでかかる場合に本発明の排水構造を適用してもよい。
【００８８】
図７では、外壁面材６６が支持フレーム６７上に載置された状態で支持されており、その支持状態で外壁面材６６がその裏面側でＬ字状の連結金具６８を介して支持フレーム６７に固定されている。外壁面材６６の下方には、支持フレーム６７のバルコニー空間ＢＳ側に長尺状のベースフレーム８２が設けられている。ベースフレーム８２は、コ字状をなす鋼板よりなり、そのウェブ部８２ａをバルコニー空間ＢＳ側に向けて配置されている。防水板２５の立ち上がり部２５aは、そのウェブ部８２ａの外側面に重ね合わせられている。
【００８９】
ベースフレーム８２の上面は外壁面材６６の下端面と所定の隙間を隔てて上下に対向しており、当該上面には止水部材６９の一部が重ね合わせられている。止水部材６９は、耐水性を有する鋼板が折り曲げ形成されてなるものである。止水部材６９の上記重ね合わせ部６９ａはバルコニー空間ＢＳ側の端部にて防水板２５の立ち上がり部２５ａの上端部と連続している。これにより、止水部材６９と立ち上がり部２５ａとにより連続した壁下防水層４４が形成されている。
【００９０】
止水部材６９は、重ね合わせ部６９ａの第二居室１６側（バルコニー空間ＢＳとは反対側）の端部から上方に延び、その後その上端部から外壁面材６６の下端面に沿って第二居室１６側に延びるとともに、さらに外壁面材６６の裏面に沿って上方に延びている。この場合、止水部材６９において外壁面材６６の下端面に沿う部分は外壁面材６６と支持フレーム６７の上面との間に挟み込まれ、止水部材６９において外壁面材６６の裏面に沿う部分は外壁面材６６と連結金具６８との間に挟み込まれている。
【００９１】
外壁面材６６の下方には水切部材６２が設けられている。水切部材６２は、概ね上記実施形態の水切部材４０と同じ構成を有しており、水切本体６３とカバー部材６４とを備える。上記実施形態のものと異なる点としては、水切本体６３には、その傾斜板部の上端から第二居室１６側に向かって延びる横板部６３ａがさらに設けられている点である。水切部材６２は、その水切板部６２ａが防水板２５の立ち上がり部２５ａと離間対向した状態で配置され、水切板部６２ａと立ち上がり部２５ａとの間は水切裏空間８４となっている。また、水切本体６３の横板部６３ａは、止水部材６９の重ね合わせ部６９ａと上下に対向した状態で配置され、横板部６３ａと外壁面材６６の下端面の間には外壁面材６６の下端に沿う長尺状のシール材８１が介在されている。
【００９２】
かかる構成では、雨水等の水が外壁面材６６の中空部６６ａを通じて流下し止水部材６９の重ね合わせ部６９ａ上に達すると、その水が重ね合わせ部６９ａ上を伝ってバルコニー空間ＢＳの方に向かって流れ、その後水切裏空間８４に入り込む。この場合、その入り込んだ水は第１排水孔部８５及び第２排水孔部８６を通じてバルコニー空間ＢＳへと排出されるため、水切部材６２裏に水が溜まることを防止することができる。また、強風が吹き上げて雨水等の水が排水孔部８５，８６を通じて逆流しようとする際には、その風を囲み空間部に一旦入り込ませることで風の勢いを低減させることができるため、排水孔部８５，８６を設けた構成にあって排水孔部８５，８６からの水の逆流による建物内部への水の浸入を防止することができる。
【００９３】
（７）上記実施形態では、バルコニー２０の外壁部１７側において本発明における水切部材の排水構造を適用したが、バルコニー腰壁部２２側にも本発明の排水構造を適用することができる。バルコニー腰壁部２２においても、強風を伴う降雨があった場合には水切部材の排水孔部を通じて雨水等の水が逆流しその水がバルコニー腰壁部２２の内部に入り込むおそれがある。その場合、バルコニー腰壁部２２の内部に入り込んだ水が下方に流れ落ち第一居室１５を濡らすといった不都合が生じる可能性がある。したがって、外壁部１７側のみならずバルコニー腰壁部２２側にも本発明の排水構造を適用することが望ましい。
【００９４】
（８）上記実施形態では、建物１０において二階部分１４のバルコニー２０に設けられた外壁部１７に本発明を適用したが、一階部分１３に設けられたバルコニーの外壁部に本発明を適用してもよい。そうすれば、排水孔部からの水の逆流により、当該バルコニーと外壁部を挟んで隣接する一階居室へ水が浸入するのを防止することができる。
【００９５】
（９）上記実施形態では、バルコニー空間ＢＳ（屋外開放空間に相当）の外壁部１７（壁部に相当）に対して本発明を適用したが、ベランダ等他の屋外開放空間の壁部に本発明を適用してもよい。また、屋上部を有する建物でおいて、屋上空間（屋外開放空間）を囲んで設けられる壁部（例えばパラペット壁部）に対して本発明を適用してもよい。
【符号の説明】
【００９６】
１０…建物、１７…壁部としての外壁部、２０…バルコニー、２２…壁部としてのバルコニー腰壁部、２８…壁面材としての外壁面材、４０…水切部材、４１…水切本体、４１ａ…連結板部としての固定板部、４１ｂ…上側横板部、４１ｃ…下側横板部、４１ｄ，４１ｅ…水切板部を構成する縦板部、４２…カバー部としてのカバー部材、４３…締結具としてのビス、４８…水切裏空間、４９…囲み空間部、５１…第１排水孔部、５２…第２排水孔部、ＢＳ…屋外開放空間としてのバルコニー空間。
【図１】
2014047566.tif 000003
【図２】
2014047566.tif 000004
【図３】
2014047566.tif 000005
【図４】
2014047566.tif 000006
【図５】
2014047566.tif 000007
【図６】
2014047566.tif 000008
【図７】
2014047566.tif 000009
【図８】
2014047566.tif 000010